(57)【特許請求の範囲】
【請求項１】
自由状態でインキを収容するインキタンクとして後端を開口して外気と連通した筒体を有し、この筒体内にインキ消費に伴ってインキの界面に追従して移動する高粘度組成物及び該高粘度組成物に少なくとも一部浸漬した移動栓を配置し、前記筒体の後端開口部近傍に移動栓と当接可能な障壁を配置すると共に、該障壁に移動栓後側と外気とを連通する通気孔を開口し、該障壁と移動栓が当接した際に前記インキ及び前記高粘度組成物の筒体後端開口部への流通を閉塞させる筆記具において、移動栓の障壁に対する当接部及び／又は障壁の移動栓に対する当接部に環状の凸部を設けたことを特徴とする筆記具。
【請求項２】
前記環状の凸部を、弾性体により形成したことを特徴とする請求項１記載の筆記具。
【発明の詳細な説明】
【０００１】
【発明の属する技術分野】
本発明は、自由状態でインキを収容するインキタンクとして後端を開口して外気と連通した筒体を有し、この筒体内にインキ消費に伴ってインキの界面に追従して移動する高粘度組成物及び該高粘度組成物に少なくとも一部浸漬した移動栓を配置し、前記筒体の後端開口部近傍に移動栓と当接可能な障壁を配置すると共に、該障壁に移動栓後側と外気とを連通する通気孔を開口し、該障壁と移動栓が当接した際に前記インキ及び前記高粘度組成物の筒体後端開口部への流通を閉塞させる筆記具に関する。
【０００２】
【従来の技術】
従来、繊維収束体や多孔質体などのインキ吸蔵体にインキを含浸させたものではなく、インキタンク内に自由状態でインキを収容する筆記具は、所詮生インキ式の筆記具と称され、みずみずしいインキ吐出と、大量のインキを無駄なく消費できる等の利点を有している。このような生インキ式の筆記具においては特にインキ洩れについて考慮されるべきであり、ペン先へのインキ供給路のような制御されたインキ流通部分以外は密閉されるように作られているのが一般的である。縦断面櫛歯状の一時的インキ溜部材をペン先とインキタンクとの間に介在させているものも知られており、このものはインキタンク内への通気路をそのまま外界と連通しているが、毛細管力を利用して通気路の外界への開口部分にインキが極力達しないように工夫されている。
【０００３】
上述のような生インキ式筆記具のインキタンクもインキ消費に伴って減少するインキの容量分外気を取り入れなくてはインキタンク内が減圧状態となってしまい、ペン先へのインキ供給を阻害することになる。よって必ず消費したインキ分の体積を他のもので置換してやることが必要となる。通常は、通気路を外界に開口してインキが消費されることによる内圧変化によってインキタンク内に空気を取り入れるものが一般的である。インキタンク内に直接空気を取り入れ消費したインキと置換させるものの他に、インキタンクの容積自体を変化させ、自動的にインキ残量に応じたインキタンク容積となるようにしたものもある。例えば、インキタンク自体がブロー成形などによるものや袋体等の比較的変形しやすい軟材質よりなるものとし、インキ消費の体積分インキタンクが潰れていくものや、インキタンクにインキ界面に追従して移動する壁を配置して、常にインキタンク内容積がインキタンク内に存在するインキの容積とほぼ等しくなるようにしたものがある。
【０００４】
このような、インキ残量に伴って、インキタンク容積を変化させるタイプのもののうち移動する壁を配置したものとして、インキが移動する壁を超えて洩れてしまうことを防止する高粘度の流体を逆流防止体としてインキ界面位置に配置したものや、この逆流防止体との比重関係を調節して、一部若しくは全部浸漬させた部材である移動栓を配置したものなどが知られている。
【０００５】
【発明が解決しようとする課題】
上述した移動する壁がインキ消費による減圧の力に引かれて移動可能とするためには比較的弱い力で移動可能でなくてはならず、このことが特定の状態においては問題点となる場合があった。即ち、逆流防止体やこれと移動栓とが、筆記具を落下させた場合などの衝撃によって後方へ移動してしまったり、ペン先がボールペンの場合には、落下時の衝撃や、筆記時に回転するボールがボールペンチップと擦れ合うことによる摩耗によって、前記ボールが抜け落ちてしまうことがあり、このことによって、ボールペンチップに孔が開いた状態となり、インキタンク内と大気とが連通し、インキの水頭圧によって後方へ移動してしまうことの他、インキタンク内に空気が存在するときに高温下では、この空気の体積が増加することによって、後方に押してしまうことがあった。これらの現象により、移動栓の後方移動が進むと、インキタンクの後端開口部より前記移動栓が抜け出てしまうので、移動栓の抜け防止のための障壁を尾栓等に設けたものもあるが、その密閉信頼性は満足できるものではなく、接触部に隙間が生じ、流体である高粘度組成物は、衝撃、水頭圧、空気の体積増加による圧力によって、隙間を介して流動し、インキ逆流防止機能を維持できなくなり、該部よりのインキ洩れにつながる懸念があった。
【０００６】
【課題を解決するための手段】
即ち、本発明は、自由状態でインキを収容するインキタンクとして後端を開口して外気と連通した筒体を有し、この筒体内にインキ消費に伴ってインキの界面に追従して移動する高粘度組成物及び該高粘度組成物に少なくとも一部浸漬した移動栓を配置し、前記筒体の後端開口部近傍に移動栓と当接可能な障壁を配置すると共に、該障壁に移動栓後側と外気とを連通する通気孔を開口し、該障壁と移動栓が当接した際に前記インキ及び前記高粘度組成物の筒体後端開口部への流通を閉塞させる筆記具において、移動栓の障壁に対する当接部及び／又は障壁の移動栓に対する当接部に環状の凸部を設けたことを特徴とする筆記具を要旨とする。
【０００７】
【作用】
移動栓と障壁との接触部分を環状の凸部により、限りなく小さい面である線接触に近い状態とし、接触面積が小さいが故に相手に対する当接部分に左右され難くなり、隙間を生じることが極力抑制される。また、接触面積が小さいので、移動栓と障壁との接触部分にかかる単位面積当たりの接触圧力は面接触に比べて大きくなるので、密閉性をより確実なものとすることができる。よって、衝撃、水頭圧、高温下での空気の体積増加に伴う移動栓の後方移動が生じても、インキ逆流防止体である高粘度組成物の流動が確実に抑えられるので、インキ洩れを抑制することができる。
【０００８】
【実施例】
以下図面に基づき一例について説明する。
図１〜図４に示したものは、何れも、内部に、繊維収束体などのインキ吸蔵体に保持されていない自由状態のインキ１を収容する、所謂生インキ式筆記具の一例である。全体を一部省略して示した図１に示したように、金属製のボールペンチップ２が、気体の非透過性に優れ且つインキの残量が目視可能なように透明性を有するポリプロピレンの合成樹脂の射出成形品である筒体３の先端開口部に圧入固定されている。この筒体３の後部開口部には、色表示できるようなインキ色に着色若しくは染色された合成樹脂製の尾栓４が圧入固定されている。この尾栓４には、空気流通路としての外気連通孔４ａが形成されており、インキ消費に伴って、筒体３内の移動栓５の後方に外気を取り入れ、インキタンク内が減圧とならないようになしている。
【０００９】
筒体３の内部には、粘度約１００ｍＰ・ｓの、水を主媒体として顔料を着色剤として使用したインキ１を収容している。また、インキの逆流防止体として、インキ１の界面に接触して、ポリブテンを主剤とする、粘度５０００００ｍＰ・ｓの高粘度組成物により高粘度組成物層６が配置されると共に、この高粘度組成物層６に一部浸漬して、合成樹脂製の移動栓５を配置している。この移動栓５は流体である高粘度組成物層６の容器内における形状を保つ役割も担っている。
【００１０】
図１のＩ部拡大図である図２に示すとおり、移動栓５は、後端面に、断面円弧状の環状の凸部５ａを形成してある。尾栓４の外気連通孔４ａの径を移動栓５の後端面の内径以下として、移動栓５の凸部５ａと当接可能な障壁４ｂを形成している。即ち、衝撃や、ボールペンの場合でのボール外れ時の水頭圧及び、インキタンク内に存在する空気の高温下での増加の影響で、移動栓５が後方移動した時、移動栓５の凸部５ａと障壁４ｂが周状当接する。凸部と面とによる当接のため、接触面積が極小であり、周状に当接することが容易で、且つ、接触時の単位面積当たりの接触圧力が大きくなるので、この部分を確実に密閉することができ、インキタンク内と外界との通路を遮断する。よって、移動栓５が後方移動しても、インキが外気流通孔より洩れることが防止される。本例の環状の凸部５ａは断面円弧状としたが、断面が角錐や角柱状であっても良い。
【００１１】
図３に他の一例を示す。上述の例の図２に対応する図面として示してある。組み立て工程を容易にするために、上下対称形状の尾栓４としてあるが、この尾栓４に環状の凸部４ｃを形成してある。移動栓５が後方移動してきたとき、移動栓５の後端面と当接し、インキ洩れを抑制するものである。尚、移動栓５の前記後端面に同様の環状の凸部を形成しても良い。
【００１２】
図４に他の一例を示す。本例も、上述の例の図２に対応する図面として示してある。移動栓５の後端面に、凹部５ｂを設け、凹部５ｂに、エチレンブタジエンゴム製の弾性体７を配置し、移動栓５の後端面に凸部を形成したものである。万が一成形寸法のバラツキ等により、尾栓４の障壁４ｂが径方向に傾きが生じていても、弾性体７よりなる凸部の軸方向の長さが、傾きに応じて変形するので、移動栓５の障壁４ｂへの当接を確実に行うことができ、インキ洩れを抑制するものである。
【００１３】
【発明の効果】
以上により、本発明によれば、筆記具に衝撃が付与されたり、ボールペンの場合ボールが外れて、インキの水頭圧が生じたり、また、インキタンク内に空気が混入して、高温下において体積膨張したりすることによって、移動栓を後方に移動させてしまっても、インキ逆流防止体である高粘度組成物の流動が確実に抑えられるので、インキが洩れてしまうことが抑制される。
【図面の簡単な説明】
【図１】一例を示す縦断面図。
【図２】図１のＩ部拡大縦断面図。
【図３】更に他の一例を示す図２相当図。
【図４】更に他の一例を示す図２相当図。
【符号の説明】
１  インキ
２  ボールペンチップ
３  筒体
４  尾栓
４ａ  外気連通孔
４ｂ  障壁
４ｃ  凸部
５  移動栓
５ａ  凸部
５ｂ  凹部
６  高粘度組成物
７  弾性体
【図１】
0004590800.tif 000002
【図２】
0004590800.tif 000003
【図３】
0004590800.tif 000004
【図４】
0004590800.tif 000005